(57)【要約】【課題】特殊景品流通システムにおいて、特殊景品の真贋判定を行う手段を提供する。【解決手段】特殊景品１１０の一般的な流通システムとして遊技場は景品問屋１１０から特殊景品を購入し、景品として遊技客に提供し、遊技客は有価物である特殊景品を特殊景品交換所１２０に持参して売却、現金化し、特殊景品交換所は、遊技客から買い取った特殊景品を古物として景品問屋１３０へ売却し、景品問屋は景品交換所から買い取った特殊景品を遊技店に販売するものであり、特殊景品は非接触で通信可能なＩＣタグを内蔵しているものであり、ＩＣタグは、特殊景品の真贋を識別するための認証手段をＩＣタグのメモリに格納されている価値情報を読みだす前に必要とし、認証手段は、少なくとも共有鍵、タグ固有ＩＤ、タグ鍵、乱数、ハッシュ演算コードを認証時に必要とするものであり、認証が成立後価値情報を読みだす際はデータの暗号化は行わないものである。【選択図】図１
2011087652.tif 000002
【特許請求の範囲】
【請求項１】
遊技店などで顧客の遊技により獲得した遊技媒体の数量に応じて払い出させる少なくても一個の特殊景品であって該特殊景品を遊技店、景品交換所、景品問屋間で流通させる特殊景品流通システムであって、前記遊技店には少なくても一台の特殊景品払出装置があり、前記景品交換所には少なくても一台の特殊景品買取装置があり、前記景品問屋には少なくとも一台の特殊景品発行装置があり、前記特殊景品の一般的な流通システムとして前記遊技場は前記景品問屋から前記特殊景品を購入し、景品として遊技客に提供し、遊技客は有価物である前記特殊景品を前記特殊景品交換所に持参して売却、現金化し、前記特殊景品交換所は、遊技客から買い取った前記特殊景品を古物として前記景品問屋へ売却し、前記景品問屋は前記景品交換所から買い取った前記特殊景品を前記遊技店に販売するものであり、
前記特殊景品は非接触で通信可能なＩＣタグを内蔵しているものであり、前記ＩＣタグは、前記特殊景品の真贋を識別するための認証手段をＩＣタグのメモリに格納されている価値情報を読みだす前に必要とし、前記認証手段は、少なくとも共有鍵、タグ固有ＩＤ、タグ鍵、乱数、ハッシュ演算コードを認証時に必要とするものであり、認証が成立後価値情報を読みだす際はデータの暗号化は行わないものであり、
管理サーバであり、前記管理サーバは前記景品買取装置及び前記特殊景品発行装置と通信回線でつながっているものであり、前記通信回線を通じ、前記景品買取装置及び、前記景品発行装置は前記共有鍵を前記管理サーバから入手するものであり、前記管理サーバは特殊景品払出装置とは通信回線がつながっておらず、前記特殊景品払出装置は前記景品問屋からのセキュリティ媒体を通じて前記共有鍵を入手し、前記特殊景品払出装置及び前記特殊景品買取装置及び前記特殊景品発行装置は、前記共有鍵の入手及び前記認証手段を前記特殊景品内のＩＣタグの価値情報を読みだす前に実行するものであり、前記認証手段の実施結果が正常の場合、真正の特殊景品と判断しＩＣタグの価値情報を読みし、前記認証手段の実施結果が異常の場合、特殊景品に異常があったと判断することを特徴とする前記特殊景品流通システム。
【請求項２】
遊技店などで顧客の遊技により獲得した遊技媒体の数量に応じて払い出させる少なくても一個の特殊景品であって該特殊景品を遊技店、景品交換所、景品問屋、集配所間で流通させる特殊景品流通システムであって、前記遊技店には少なくても一台の特殊景品払出装置があり、前記景品交換所には少なくても一台の特殊景品買取装置があり、前記景品問屋には少なくとも一台の特殊景品発行装置があり、前記集配所には少なくとも一台の特殊景品検品装置があり、前記特殊景品の一般的な流通システムとして前記特殊景品に、市場流通価格に見合った金製品を用い、前記遊技場は前記景品問屋から特殊景品を購入し、景品として遊技客に提供し、遊技客は有価物である前記特殊景品を前記特殊景品交換所に持参して売却、現金化し、前記特殊景品交換所は、遊技客から買い取った前記特殊景品を古物として前記景品問屋へ売却し、前記景品問屋は景品交換所から買い取った特殊景品を前記集配所に持参し、前記集配所において検品・他の遊技場から持ち込まれた特殊景品と交換して持ち帰り、再び遊技店へ販売するものであり、
前記特殊景品は非接触で通信可能なＩＣタグを内蔵しているものであり、前記ＩＣタグは、前記特殊景品の真贋を識別するための認証手段をＩＣタグのメモリに格納されている価値情報を読みだす前に必要とし、前記認証手段は、少なくとも共有鍵、タグ固有ＩＤ、タグ鍵、乱数、ハッシュ演算コードを認証時に必要とするものであり、認証が成立後価値情報を読みだす際はデータの暗号化は行わないものであり、
管理サーバであり、前記管理サーバは前記景品買取装置及び前記特殊景品発行装置及び前記特殊景品検品装置と通信回線でつながっているものであり、前記通信回線を通じ、前記景品買取装置及び前記景品発行装置及び前記特殊景品検品装置は前記共有鍵を前記管理サーバから入手するものであり、前記管理サーバは特殊景品払出装置とは通信回線がつながっておらず、前記特殊景品払出装置は前記景品問屋からのセキュリティ媒体を通じて前記共有鍵を入手し、前記特殊景品払出装置及び前記特殊景品買取装置及び前記特殊景品発行装置及び前記特殊景品検品装置は、前記共有鍵の入手及び前記認証手段を前記特殊景品内のＩＣタグの価値情報を読みだす前に実行するものであり、前記認証手段の実施結果が正常の場合、真正の特殊景品と判断しＩＣタグの価値情報を読みし、前記認証手段の実施結果が異常の場合、特殊景品に異常があったと判断することを特徴とする前記特殊景品流通システム。
【請求項３】
請求項１または請求項２記載の特殊景品内蔵のＩＣタグにおいて、
前記ＩＣタグのメモリのデータが、少なくともＩＣチップメーカが付与する製造者固有番号ＩＤｍ、タグ固有番号ＩＤ、タグ鍵ＴＫ、ハッシュ演算コードＲ、金種・景品連番バーコード・店番号等の価値情報、前記ＩＣタグが読み書きされた回数示す使用回数情報からなり、前記特殊景品払出装置、前記特殊景品買取装置、前記特殊景品発行装置、前記特殊景品検品装置において前記ＩＣタグの価値情報を読みだす際に、装置毎に前記使用回数情報を一回づつ一方方向に増加ないし減少させる事を特徴とする請求項１または請求項２記載の特殊景品流通システム。
【請求項４】
請求項１または請求項２記載の特殊景品の真贋を識別するための認証手段は、前記管理サーバないしセキュリティ媒体から配布される前記共有鍵ＰＫを使い、前記タグ鍵ＴＫを発生させるものであり、ＩＣタグは前記特殊景品払出装置、前記特殊景品買取装置等装置側から送られてくる乱数Ｎと前記タグ鍵ＴＫをもとに暫時鍵ＳＫを発行し、前記暫時鍵ＳＫと前記タグ固有ＩＤをもとに、ハッシュ演算コードＲを発生するものであり、前記暫時鍵ＳＫとハッシュ演算コードＲの発生式には、トリブルＤＥＳ、ＡＥＳなどの公的にセキュリティ強度が証明された発生式を使用することを特徴とする請求項１または請求項２記載の特殊景品流通システム。
【請求項５】
請求項２記載の特殊景品の構造は、前記ＩＣタグと前記金製品とを接着剤にて接合させてあり、接合を剥離しようとした場合、ＩＣタグのアンテナ等が破断されＩＣタグの機能が失われるような構造であることを特徴とする請求項２記載の特殊景品流通システム。
【請求項６】
請求項５記載のＩＣタグは、前記金製品の真下にＩＣタグアンテナの一部が形成されているものであり、かつＩＣタグが破断されやすいミシン目ないし切欠きを金製品の直下ないし近傍に形成したことを特徴とする請求項５記載の特殊景品流通システム。
【発明の詳細な説明】
【技術分野】
【０００１】
本発明は遊技店、景品交換所、景品問屋及び集配所を流通する特殊景品を管理する為の特殊景品流通システムに関するものである。前記特殊景品は、非接触通信が可能なＩＣタグを内蔵し、表面にはホログラム等の特殊な光学式識別コードが付与されているものとする。
【背景技術】
【０００２】
パチンコ遊技店（以後、遊技店と記す）において、遊技者が遊技台を遊技して獲得した遊技媒体は、一般景品あるいは特殊景品に交換される。特殊景品は有価物であり、遊技店とは別の場所にある特殊景品交換場にて買い取ってもらうことが可能な景品である。
【０００３】
従来の特殊景品流通システムは、特開２００１−２２４０５８にも記されているように、大きくは２つある。一つは、遊技店は景品問屋から特殊景品を購入し、景品として遊技客に提供し、遊技客は有価物である特殊景品を特殊景品交換所に持参して売却、現金化し、特殊景品交換所は、遊技客から買い取った特殊景品を古物として景品問屋へ売却し、景品問屋は景品交換所から買い取った特殊景品を遊技店に販売する。特殊景品にＩＣタグが内蔵されている場合は、景品問屋から遊技店へ販売する前において、景品問屋において、ＩＣタグのデータの一部ないし全部が書き換えないし消去が行われる。
【０００４】
他の一つは、東京都における遊技業組合で導入され、特殊景品に、市場流通価格に見合った金製品を用い、遊技店は景品問屋から特殊景品を購入し、景品として遊技客に提供し、遊技客は有価物である特殊景品を特殊景品交換所に持参して売却、現金化し、特殊景品交換所は、遊技客から買い取った特殊景品を古物として景品問屋へ売却し、景品問屋は景品交換所から買い取った特殊景品を集配所に持参し、集配所において検品・他の遊技店から持ち込まれた特殊景品と交換して持ち帰り、再び遊技店へ販売する。
【先行技術文献】
【特許文献】
【０００５】
【特許文献１】特開２００１−２２４０５８号公報
【発明の概要】
【発明が解決しようとする課題】
【０００６】
従来の特殊景品流通システムにおいては、悪意の第三者により以下のように模造品の製造とすり替えないし為りすましが発生している。
【０００７】
その一つは、真正の特殊景品の外見と重さが同じ模造の模造品を製造し、真正の特殊景品に為りすます。模造品の製造コストの方が真正の特殊景品の買取価格より安いため、悪意の第三者にとって利益がみこめる。特殊景品にＩＣタグが内蔵されていた場合でも、真正の特殊景品内蔵のＩＣタグのメモリに格納されているデータがわかればそのデータを模造品内のＩＣタグにコピーを行う。また、データから価値情報を読出し金額などのデータを模造品を作る際に書き換えることにより、模造の特殊景品は正規のそれと同じ価値かそれ以上で流通可能となる。
【０００８】
換言すれば、ＩＣタグを内蔵していても。ＩＣタグのＵＩＤ（ユニーク識別子）やデータが簡単に読み出せるようになっている場合、模造品の製作は容易に実現可能である。
【０００９】
ＩＣタグのＵＩＤがユニークになっており、ＩＣチップメーカがＵＩＤを書き換え不可の状態で出荷されている場合がある。この場合、ＵＩＤのコピーはしにくい。これを利用して、遊戯店と景品交換所の間で、遊戯店が払い出した特殊景品のＵＩＤを景品交換所に通信回線で伝えるという方法が考えられるが、この方法は遊戯店と景品交換所の間の直接的情報をやりとりを行うことになり、法律により禁止されている。また、ＩＣチップそのものが模造された場合、模造チップのＵＩＤは自由に書き換えられることになり、模造は容易に実現可能となる。
【００１０】
〔従来の防止方法〕
悪意の第三者による模造品のなりすましに対しての、従来の防止策としては以下の方法がある。
（１）特殊景品の表面に偽造がされにくいホログラムを貼付。偽造防止を行う。
（２）特殊景品に内蔵された、ＩＣタグに情報を書き込む際に、データの暗号化を行う公知の例（特公開２００７−１３６０８５,グローリ)がある。特殊景品払い出し時に景品データを暗号化してＩＣタグに書き込む。また、特殊景品買い取り時に景品データを複合化し、異常があった場合は、異常データを暗号化してタグに書き込む。ＩＣタグのデータが暗号化されているため、悪意の第三者からデータを読みとられにくいという利点を有する。
【００１１】
しかるに、従来の防止方法においても以下のような問題や不十分さが起きている。
（１）に関しては、特殊景品が流通して時間が経過すると共に、ホログラムの製造方法がリバースエンジニアリングにより解析され、同様な機能・性能を有する模造品が、悪意の第三者により製造されるようになった。また、真正のホログラムの機能・性能を失わずに、該ホログラムを特殊景品表面から剥がし、特殊景品の中身を模造品に入れ替える方法もとられている。
【００１２】
（２）に関しては、暗号化を行う装置が遊技店に設置され、行われるものであり、景品交換場において、暗号の複合化を行うと共に、特殊景品に異常を判別した場合はＩＣタグに暗号化した異常情報を書き込むようになっている。しかるに、特公開２００７−１３６０８５には明記されていないが、暗号の複合化を行う際には、一般的には発行元（この場合は遊技店）から鍵情報を受領する必要があり、遊技店と交換所の直接データの授受が行われ風営法（風俗営業等の規則及び業務の適正化等に関する法律）第２３条に抵触する恐れがあるシステムとなる。
【００１３】
よって、本発明は、法律を順守しつつ、特殊景品のすり替えやなりすますなどの模造品を識別し排除しうる特殊景品の流通システムの提供を目的とする。
【課題を解決するための手段】
【００１４】
上記目的を達成するために、請求項１の発明は、遊技店などで顧客の遊技により獲得した遊技媒体の数量に応じて払い出させる少なくても一個の特殊景品であって該特殊景品を遊技店、景品交換所、景品問屋間で流通させる特殊景品流通システムであって、前記遊技店には少なくても一台の特殊景品払出装置があり、前記景品交換所には少なくても一台の特殊景品買取装置があり、前記景品問屋には少なくとも一台の特殊景品発行装置があり、前記特殊景品の一般的な流通システムとして前記遊技場は前記景品問屋から前記特殊景品を購入し、景品として遊技客に提供し、遊技客は有価物である前記特殊景品を前記特殊景品交換所に持参して売却、現金化し、前記特殊景品交換所は、遊技客から買い取った前記特殊景品を古物として前記景品問屋へ売却し、前記景品問屋は前記景品交換所から買い取った前記特殊景品を前記遊技店に販売するものであり、前記特殊景品は非接触で通信可能なＩＣタグを内蔵しているものであり、前記ＩＣタグは、前記特殊景品の真贋を識別するための認証手段をＩＣタグのメモリに格納されている価値情報を読みだす前に必要とし、前記認証手段は、少なくとも共有鍵、タグ固有ＩＤ、タグ鍵、乱数、ハッシュ演算コードを認証時に必要とするものであり、認証が成立後価値情報を読みだす際はデータの暗号化は行わないものであり、管理サーバであり、前記管理サーバは前記景品買取装置及び前記特殊景品発行装置と通信回線でつながっているものであり、前記通信回線を通じ、前記景品買取装置及び、前記景品発行装置は前記共有鍵を前記管理サーバから入手するものであり、前記管理サーバは特殊景品払出装置とは通信回線がつながっておらず、前記特殊景品払出装置は前記景品問屋からのセキュリティ媒体を通じて前記共有鍵を入手し、前記特殊景品払出装置及び前記特殊景品買取装置及び前記特殊景品発行装置は、前記共有鍵の入手及び前記認証手段を前記特殊景品内のICタグの価値情報を読みだす前に実行するものであり、前記認証手段の実施結果が正常の場合、真正の特殊景品と判断しＩＣタグの価値情報を読みし、前記認証手段の実施結果が異常の場合、特殊景品に異常があったと判断することを特徴とする。
【００１５】
また、請求項２の発明は遊技店などで顧客の遊技により獲得した遊技媒体の数量に応じて払い出させる少なくても一個の特殊景品であって該特殊景品を遊技店、景品交換所、景品問屋、集配所間で流通させる特殊景品流通システムであって、前記遊技店には少なくても一台の特殊景品払出装置があり、前記景品交換所には少なくても一台の特殊景品買取装置があり、前記景品問屋には少なくとも一台の特殊景品発行装置があり、前記集配所には少なくとも一台の特殊景品検品装置があり、前記特殊景品の一般的な流通システムとして前記特殊景品に、市場流通価格に見合った金製品を用い、前記遊技場は前記景品問屋から特殊景品を購入し、景品として遊技客に提供し、遊技客は有価物である前記特殊景品を前記特殊景品交換所に持参して売却、現金化し、前記特殊景品交換所は、遊技客から買い取った前記特殊景品を古物として前記景品問屋へ売却し、前記景品問屋は景品交換所から買い取った特殊景品を前記集配所に持参し、前記集配所において検品・他の遊技場から持ち込まれた特殊景品と交換して持ち帰り、再び遊技店へ販売するものであり、前記特殊景品は非接触で通信可能なＩＣタグを内蔵しているものであり、前記ＩＣタグは、前記特殊景品の真贋を識別するための認証手段をＩＣタグのメモリに格納されている価値情報を読みだす前に必要とし、前記認証手段は、少なくとも共有鍵、タグ固有ＩＤ、タグ鍵、乱数、ハッシュ演算コードを認証時に必要とするものであり、認証が成立後価値情報を読みだす際はデータの暗号化は行わないものであり、管理サーバであり、前記管理サーバは前記景品買取装置及び前記特殊景品発行装置及び前記特殊景品検品装置と通信回線でつながっているものであり、前記通信回線を通じ、前記景品買取装置及び前記景品発行装置及び前記特殊景品検品装置は前記共有鍵を前記管理サーバから入手するものであり、前記管理サーバは特殊景品払出装置とは通信回線がつながっておらず、前記特殊景品払出装置は前記景品問屋からのセキュリティ媒体を通じて前記共有鍵を入手し、前記特殊景品払出装置及び前記特殊景品買取装置及び前記特殊景品発行装置及び前記特殊景品検品装置は、前記共有鍵の入手及び前記認証手段を前記特殊景品内のＩＣタグの価値情報を読みだす前に実行するものであり、前記認証手段の実施結果が正常の場合、真正の特殊景品と判断しＩＣタグの価値情報を読みし、前記認証手段の実施結果が異常の場合、特殊景品に異常があったと判断することを特徴とする。
【００１６】
また、請求項３の発明は、請求項１または請求項２記載の特殊景品内蔵のＩＣタグにおいて、前記ＩＣタグのメモリのデータが、少なくともＩＣチップメーカが付与する製造者固有番号ＩＤｍ、タグ固有番号ＩＤ、タグ鍵ＴＫ、ハッシュ演算コードＲ、金種・景品連番バーコード・店番号等の価値情報、前記ＩＣタグが読み書きされた回数示す使用回数情報からなり、前記特殊景品払出装置、前記特殊景品買取装置、前記特殊景品発行装置、前記特殊景品検品装置において前記ＩＣタグの価値情報を読みだす際に、装置毎に前記使用回数情報を一回づつ一方方向に増加ないし減少させる事を特徴とする。
【００１７】
請求項４の発明は、請求項１または請求項２記載の特殊景品の真贋を識別するための認証手段は、前記管理サーバないしセキュリティ媒体から配布される前記共有鍵ＰＫを使い、前記タグ鍵ＴＫを発生させるものであり、ＩＣタグは前記特殊景品払出装置、前記特殊景品買取装置等装置側から送られてくる乱数Ｎと前記タグ鍵ＴＫをもとに暫時鍵ＳＫを発行し、前記暫時鍵ＳＫと前記タグ固有ＩＤをもとに、ハッシュ演算コードＲを発生するものであり、前記暫時鍵ＳＫとハッシュ演算コードＲの発生式には、トリブルＤＥＳ、ＡＥＳなどの公的にセキュリティ強度が証明された発生式を使用することを特徴とする。
【００１８】
請求項５の発明は、請求項２記載の特殊景品の構造は、前記ＩＣタグと前記金製品とを接着剤にて接合させてあり、接合を剥離仕様とした場合、ＩＣタグのアンテナ等が破断されＩＣタグの機能が失われるような構造であることを特徴とする。
【００１９】
請求項６の発明は、請求項５記載のＩＣタグは、前記金製品の真下にＩＣタグアンテナの一部が形成されているものであり、かつＩＣタグが破断されやすいミシン目ないし切欠きを金製品の直下ないし近傍に形成したことを特徴とする。
【発明の効果】
【００２０】
本発明の特殊景品流通システムによれば、特殊景品が真正のものかどうかを読取装置と特殊景品に内蔵されたＩＣタグとの認証手段により判断可能にしたので、特殊景品の模造品の排除が実現できる。かつ、遊技店内に設置された特殊景品払出機において特殊景品の価値情報などのデータの書き換えや暗号化は行わず、認証の為に必要な公開鍵の管理サーバからの送付は、遊技店内に設置された特殊景品払出機に対しては行われず、景品問屋からのセキュリティ媒体によってのみ行われるため、風営法第２３条に抵触する恐れのないシステムとなる。なお、認証は特殊景品の真贋を判定する為に行われるのであり、従来技術にあるように、特殊景品の価値情報のデータの暗号化等のデータ加工を伴うものではない。
【００２１】
本発明の更なる効果は、特殊景品内蔵のＩＣタグのデータとして使用回数情報を設けることにより、特殊景品流通が適性なルートで流通しているか（たとえば、特殊景品交換所から遊技店へ直接特殊景品が送られていないか）どうかの判別が可能となる。また、悪意の第三者がＩＣタグのデータをコピー・改竄するために特殊景品買取装置等を盗んだ場合にも、使用回数情報が急に不当に増えるなどの変化から不正行為が行われたことが検知可能となる。
【００２２】
また、本発明の更なる効果は、金製品を特殊景品として採用した場合、悪意の第三者が純金製で作られた特殊景品を金メッキ製などの有価価値の小さいものとすり替えるという方法に対し、金製品とＩＣタグを分離不可能なように接着し、万一分離した場合にも、ＩＣタグの機能ないし性能が損なわれるようにしたことにより、すり替えの防止が可能になる。
【図面の簡単な説明】
【００２３】
【図１】本発明の特殊景品流通システムの第一の実施例を示す図である。
【図２】本発明の特殊景品流通システムの第二の実施例を示す図である。
【図３】特殊景品内のＩＣタグのメモリデータ構成の実施例を示す図である。
【図４】特殊景品の真偽の認証方式を示す図である。
【図５】共有鍵ＰＫの通信の認証方式を示す図である。
【図６】特殊景品買取装置の特殊景品買取処理フローを示す図である。
【図７】特殊景品の構造を示す図である。
【図８】特殊景品の構造を示す図である。
【図９】ＩＣタグの構造を示す図である。
【発明を実施するための形態】
【００２４】
以下、本発明の特殊景品流通システムについて添付図面を参照しながら説明する。図１は本発明の特殊景品流通システムの第一の実施例である。図１において、特殊景品払出装置１１５は遊技店１１０の中に設置され、特殊景品買取装置１２５は特殊景品交換所１２０の中に設置され、特殊景品発行装置１３５は景品問屋１３０の中に設置される。遊技店１１０は景品問屋１３０から特殊景品１００を購入し、景品として遊技客に提供し、遊技客は有価物である特殊景品１００を特殊景品交換所１２０に持参して売却、現金化し、特殊景品交換所１２０は、遊技客から買い取った特殊景品１００を古物として景品問屋１３０へ売却し、景品問屋１３０は景品交換所１２０から買い取った特殊景品１００を遊技店に販売する。本実施例においては特殊景品１００にＩＣタグが内蔵されている。図３に本発明の特殊景品内のＩＣタグのメモリのデータ構成の実施例を示す。本発明の一実施例である特殊景品１００内蔵のＩＣタグは、特殊景品の真贋を判定する目的での認証を実行する為の演算機能及びメモリブロックを有している。
【００２５】
具体的には、図３において、ＩＣタグのメモリブロック３１０に格納するデータとして、少なくてもＩＣチップ製造者が出荷時に付与するチップ製造者コードＩＤｍブロック３１１及び特殊景品の価値情報を格納する価値情報格納ブロック３１２及び価値情報の累積の読出し回数を格納する使用回数情報格納ブロック３１３及びタグ固有番号を格納するタグ固有番号ＩＤ格納ブロック３１４及び認証時の秘密鍵として使用されるタグ鍵ＴＫ格納ブロック及び十分なセキュリティ強度を実現するための暗号演算（例えばトリプルＤＥＳやＡＥＳ）結果を格納するハッシュ演算コードＲ格納ブロック３１６及び装置側から送信される乱数Ｎを格納する乱数格納ブロック３１７から構成されている。
【００２６】
チップ製造者コードＩＤｍはＩＣチップ毎に異なるユニークな番号（例えば８バイト）３２０となっており、価値情報としては例えば特殊景品の流通価値金額を示す金種情報３２２及び景品連番バーコード３２３及び店コード３２４及び特殊景品の発行日時３２５が含まれる。使用回数情報ブロック３１２は回数が一方方向に増加（ないし減少）した場合でしか格納できないレジスタ（例えば１６バイト）３２６となっている。換言すれば、回数を減少（ないし増加）させる操作は受け付けることができないようになっている。タグ固有番号ＩＤはＩＣタグの発行時に付与されるユニークなタグの番号（例えば１６バイト）３２７となっている。タグ鍵ＴＫはタグ毎に付与される秘密鍵（例えば１６バイト）であり、例えば前記タグ固有番号ＩＤと流通システム毎の共有鍵４１３からＤＥＳやＡＥＳなどのハッシュ演算式を使ってタグ発行時に生成・格納される。ハッシュ演算コード結果（例えば１６バイトは例えばトリプルＤＥＳやＡＥＳなどのセキュリティ強度が一般的に証明されている演算方式を使った結果である。トリプルＤＥＳの方式については例えばソフトバンクパブリッシング社発行の「暗号技術入門」の６４頁から６７頁に記載されている。またＡＥＳについては例えば同書の６８頁から７３頁に記載されている。
【００２７】
図１における管理サーバ１４５は、特殊景品流通システムの共有鍵４１３を管理・保管するための装置である。共有鍵４１３は特殊景品流通システムグループ毎に付与される秘密鍵であり、異なる流通グループ（例えば景品問屋や遊技店が異なる）の場合、相互に異なる共有鍵番号を有する。また、同一の流通システムグループであっても、例えば月単位で共有鍵４１３の番号は更新することも可能である。
【００２８】
１０は特殊景品の流通の流れを示すが１１は通信の流れを示す。特殊景品買取装置１２５及び特殊景品発行装置１３５は、特殊景品の価値情報を読みだす際に認証を必要とし、そのため、公開鍵４１３を管理サーバに問合せ、通信路上には、公開鍵４１３の値そのものは乗らないようにして鍵情報を入手する。図６に特殊景品買取装置を例にとり、特殊景品の買取処理フロー６１０を説明する。遊技客から特殊景品を提示されると、特殊景品買取装置１２５は特殊景品１００の中に内蔵されているＩＣタグのデータからチップ製造者コードＩＤｍ５１３を読みだす６１１。チップ製造者コードＩＤｍ５１３は、ＩＣチップ製造者が付与したチップ毎のユニークな番号であり、読みだす際には認証を必要としない。特殊景品買取装置１２５は次に公開鍵４１３の問合せ・認証・入手６１２を管理サーバ１４５を通じて行う。公開鍵４１３の問合せ・認証・入手６１２の詳細フローについては、図５に具体例を示す。公開鍵４１３の入手後、特殊景品買取装置１２５は特殊景品１００の認証６１３を行う。特殊景品１００の認証６１３の詳細フローについては図４に具体例を示す。認証合格６１４した場合、特殊景品１００のＩＣタグから価値情報を読みだし６１５を行う。価値情報に基づき現金払出６１７を行い、終了６１８となる。認証不合格６１４の場合、異常処理６１６を行う。異常処理とは、例えば、不合格となった特殊景品の分離及び該特殊景品を持ち込んだ遊技客の防犯カメラによる撮影等がある。
【００２９】
更に、図１において１２はセキュリティ媒体の流れである。セキュリティ媒体としては例えばＩＣカードがある。セキュリティ媒体１２には公開鍵４１３が格納されており、特殊景品払出装置１１５で特殊景品１１０を払い出すためには景品問屋１３０から特殊景品１１０と一緒に払い出されたセキュリティ媒体１２を装置に挿入し、公開鍵４１３を読みだす必要がある。遊技店１１０に対して、管理サーバ１４５を介しての通信ではなく、セキュリティ媒体１２で公開鍵４１３を渡すには、遊技店１１０の情報の独立性を担保する為である。もし、遊技店１１０と管理サーバ１４５を通信で接続した場合、管理サーバ１４５を介して、遊技店１１０景品交換所１２０と景品問屋１３０が接続させることになり、風営法に抵触する恐れがある。
【００３０】
次に特殊景品の真偽の認証の方式について図４を用いて具体例を説明する。図４に特殊景品払出装置ないし買取装置ないし発行装置ないし検品装置側４１１（以後装置側と記す）での処理内容とＩＣタグを内蔵した特殊景品側４１２（以後タグ側と記す）での処理内容と両者間の通信内容を記す。
【００３１】
装置側には前述したように、図４の認証の前に公開鍵ＰＫ４１３が格納されている。装置側は新たに乱数Ｎを生成４１４し、タグ側に送信する４１５。タグ側は、タグ鍵ＴＫ４１６を予め格納している。タグ鍵ＴＫはタグ毎に固有な個別鍵となっている。タグ側は乱数Ｎを受信し、乱数Ｎとタグ鍵ＴＫから暫時鍵ＳＫ４２０を生成する４１７。この生成は、例えばトリプルＤＥＳ等の暗号方式を使う。換言すれば、暫時鍵ＳＫ４２０はタグ鍵Ｎを乱数Ｎで多様化したものであり、認証プロセス一回毎に異なる値を有する。暫時鍵ＳＫを生成した後、タグ側から装置側へレスポンスを行う４１８。但しこのレスポンス４１８は処理に不可欠のものではなく省略可能である。次に装置側からは、タグ側に対してレスポンスの要求４１９を行う。この要求をタグ側が受けて、タグ固有番号ＩＤと暫時鍵ＳＫからハッシュ演算コードＲを生成する。この生成にも、例えばトリプルＤＥＳ等の暗号方式を使う。その後、タグ側はハッシュ演算コードＲ及びタグ固有番号ＩＤを装置側へレスポンスを行う４２２。
【００３２】
タグ側からのレスポンス４２２を受けて、装置側は、タグ固有番号ＩＤと共有鍵ＰＫからタグ鍵ＴＫを生成する。この装置側で生成されたタグ鍵ＴＫはタグ側に格納されているそれと同じ値である必要があり、言い換えれば、タグ側のタグ鍵ＴＫを生成する式と、装置側のそれとは同じ式を使う。タグ鍵ＴＫと乱数Ｎから装置側でも暫時鍵ＳＫを生成する。この時の生成式はタグ側のそれと同じである。その後、暫時鍵ＳＫとタグ側から受信したタグ固有番号ＩＤからハッシュ演算コードＲ‘を生成する。この場合の生成式もタグ側のハッシュ演算コードＲの生成式と同じである。装置側で生成したハッシュ演算コードＲ’とタグ側で生成したハッシュ演算コードＲが一致した場合、タグ側は正しい応答をしており、即ち、タグは真正と判断できる。もし、Ｒ‘≠Ｒの場合、タグ側の暫時鍵ＳＫやハッシュ演算コードＲの生成過程に誤りがあったことになり、タグは異常品と判断される。なお、タグ側のタグ鍵ＴＫを生成するときに使う共有鍵ＰＫの値と装置側に格納された共有鍵ＰＫの値が違えば、当然、Ｒ’≠Ｒの結果となる。
【００３３】
また、共有鍵ＰＫを問い合わせる為の装置側と管理サーバ１４５との通信による認証の方式について図５を用いて具体例を説明する。図５に装置側５１１での処理内容と管理サーバ側５１２での処理内容と両者間の通信内容を記す。装置側においては、装置毎にシステム構築時に付与された秘密鍵である装置固有鍵（例えば１６バイト）５１４及び装置番号が予め格納されている。装置番号と装置固有鍵は一対一で紐づけられている。また、タグ側から予めチップ製造者コードＩＤｍを読みだし、装置番号及びチップ製造者コードＩＤｍを装置側から管理サーバへ送信する５１６。管理サーバでは、装置番号及びそれに紐づけられた装置固有鍵をシステム構築時に保管している。また、共有鍵ＰＫを保管している。本実施例では共有鍵ＰＫはチップ製造者コードＩＤｍに紐づけられている。共有鍵ＰＫはチップ製造者コードＩＤｍの紐づけは一対一である必要はなく、複数のチップ製造者コードＩＤｍに対し一つの共有鍵ＰＫの値もよい。装置側からの装置番号及びチップ製造者コードＩＤｍを管理サーバは受信して、予め紐づけられている装置固有鍵ＤＫ及びチップ製造者コードＩＤｍから問合せ照合鍵ＱＫを生成する。更に、管理サーバは、問合せ照合鍵ＱＫと共有鍵ＰＫから暫時共有鍵ＳＰＫを生成５１８し、装置側へレスポンスする５１９。管理サーバ側からのレスポンスを受け、装置側はチップ製造者コードＩＤｍと装置固有鍵ＤＫから問合せ照合鍵ＱＫを生成し、問合せ照合鍵ＱＫと管理サーバから受信した暫時共有鍵ＳＰＫから共有鍵ＰＫを複合する。
【００３４】
上記の方式の場合、公開鍵ＰＫは通信路上に乗ることはなく、暫時共有鍵ＳＰＫの値も装置毎や特殊景品毎に異なる。
【００３５】
特殊景品の買取処理フローを図６、図５、図４、図３において説明したが、払出処理フローや発行処理フローも認証手段は買取処理フローのそれと同様である。
以上、本発明を実施する第一の実施例を説明した。
【００３６】
次に図２において、本発明の第二の実施例を示す。第二の実施例は、第一の実施例の特殊景品流通システムに対し、特殊景品の検品を行う集配所が加わっている。図２において、特殊景品払出装置１１５は遊技店１１０の中に設置され、特殊景品買取装置１２５は特殊景品交換所１２０の中に設置され、特殊景品発行装置１３５は景品問屋１３０の中に設置され、特殊景品検品装置１５５は集配所１５０の中に設置される。
【００３７】
遊技店１１０は景品問屋１３０から特殊景品１０５を購入し、景品として遊技客に提供し、遊技客は有価物である特殊景品を特殊景品交換所１２０に持参して売却、現金化し、特殊景品交換所１２０は、遊技客から買い取った特殊景品を古物として景品問屋１３５へ売却し、景品問屋１３５は景品交換所１２０から買い取った特殊景品を集配所１５０に持参し、集配所１５０において検品・他の遊技店から持ち込まれた特殊景品と交換して持ち帰り、再び遊技店へ販売する。本実施例においては特殊景品１０５にＩＣタグ及び金製品が内蔵されている。図３に本発明の特殊景品内のＩＣタグのメモリのデータ構成の実施例を示す。本発明の一実施例である特殊景品１０５内蔵のＩＣタグは、第一の実施例と同様に特殊景品の真贋を判定する目的での認証を実行する為の演算機能及びメモリブロックを有している。
【００３８】
図２における管理サーバ１４５は、特殊景品流通システムの共有鍵４１３を管理・保管するための装置である。共有鍵４１３は特殊景品流通システムグループ毎に付与される秘密鍵であり、異なる流通グループ（例えば景品問屋や遊技店が異なる）の場合、相互に異なる共有鍵番号を有する。また、同一の流通システムグループであっても、例えば月単位で共有鍵４１３の番号は更新することも可能である。
【００３９】
１０は特殊景品の流通の流れを示すが１１は通信の流れを示す。特殊景品買取装置１２５及び特殊景品発行装置１３５及び特殊景品検品装置１５５は、特殊景品の価値情報を読みだす際に認証を必要とし、そのため、公開鍵４１３を管理サーバ１４５に問合せ、通信路上には、公開鍵４１３の値そのものは乗らないようにして鍵情報を入手する。特殊景品１０５の買取フローは第一の実施例と同様であり、図６に示してある。また、公開鍵４１３の問合せ・認証・入手のフローについても第一の実施例と同様であり、図５に示してある。
【００４０】
更に、図２において１２はセキュリティ媒体の流れである。セキュリティ媒体としては例えばＩＣカードがある。セキュリティ媒体１２には、公開鍵４１３が格納されており、特殊景品払出装置１１５で特殊景品１０５を払い出すためには景品問屋１３０から特殊景品１０５と一緒に払い出されたセキュリティ媒体１２を装置に挿入し、公開鍵４１３を読みだす必要がある。特殊景品の認証の方式について第一の実施例と同様に図４に示してある。
【００４１】
特殊景品の買取処理フローを図６、図５、図４、図３において説明したが、払出処理フローや発行処理フロー及び検品フローも認証手段は買取処理フローのそれと同様である。
以上、本発明を実施する第二の実施例を説明した。
【００４２】
次に本発明の第１、第２の実施例において、ＩＣタグのデータ構造に使用回数の情報を格納する利点について説明する。図３において、使用回数情報格納ブロック３１３は、特殊景品発行装置１３５、特殊景品交換装置１２６、特殊景品検品装置１５５において、特殊景品の認証が成功し、価値情報の読み出しが行われる度に、使用回数のカウント値が一つずつ増大するものである。例えば、第1の実施例において、特殊景品発行装置１３５において使用回数Ｎとした場合、特殊景品買取装置１２５においては使用回数Ｎ＋１となり、再び、特殊景品発行装置１３５に戻ってきた場合はＮ＋２となる。使用回数情報をＩＣタグに格納する利点としては、正常でない流通経路を辿った場合に検知が可能となることである。例えば、特殊景品が特殊景品交換所１２０から遊技場１１０へ直接戻された場合、この特殊景品は特殊景品発行装置１３５を経由せず、特殊景品交換所１２０に戻ってくることになり、使用回数がＮ＋１及びＮ＋２と記録されることになる。この状態は、景品発行装置においても検出が可能であり、正常でない経路を通った特殊景品であることが検知可能である。この為、使用回数情報格納ブロック３１３は値を増大する場合は書き換えが可能であるが、減少させる場合は書き換えができないような機能を有していることが好ましい。
【００４３】
他の一つの利点は、万が一、悪意の第三者が景品交換所から特殊景品買取装置を盗難し、通信回線を通じ、公開鍵を入手し、特殊景品の価値情報をコピーし書き換えるような場合も、使用回数情報格納ブロック３１３の使用回数値は増大することになり、異常な増大として、後の装置で検知が可能となる。
【００４４】
次に本発明の特殊景品の構造について、図７及び図８で実施例を説明する。
図８は、第一の実施例における特殊景品１００の構造図である。特殊景品１００は例えばゴルフマーカである。プラスチック板９３及び９４の間にＩＣタグ９０を挟み込んである。プラスチック板９４にはゴルフ用マーカが埋め込まれてある。ＩＣタグ９０とプラスチック板９４ＩＣタグは薄厚化が可能な材料、例えばＰＥＴフィルムやガラエボ基板などで基材部分が作られている。ＩＣタグアンテナは、基材部分上に銅エッチングやアルミエッチング等で形成されている。ＩＣチップ９１はＩＣタグ基板上に実装され、ＩＣタグアンテナと電気的に接続している。ＩＣチップ９１は本発明の第一の実施例で説明した機能を有している。ＩＣタグ９０とプラスチック板９４Ｉ及び９５は容易に分離が困難な強力接着剤（例えばセメダイン社製ロックタイトや東亜合成化学工業製のアロンアルファ等）で接着されている。
【００４５】
図７は、第二の実施例における特殊景品１０５の構造図である。特殊景品１０５には有価物の金額相当の金製品８４と偽造判別用のホログラムとＩＣタグ８０が内蔵されている。透明プラスチックケース８８の上にＩＣタグ８０を接着し、ＩＣタグ８０上に金製品８４を接着し、その上にプラスチック製支持板８５を乗せ、ホログラム８６を接着させ、透明プラスチックケース８７を接着させてある。
【００４６】
図７の構造においては、金製品８４の市場価値が有価物の流通価格と同程度となっているため、金製品そのものを市場価値が低い偽物にすり替えるという悪意の第三者の手口が考えられる。この為、図７の実施例においては、金製品８１はＩＣタグ８０と強く接着されており、金製品をすりかえようとした際には、ＩＣタグ８０の機能・性能が破壊されるようになっている。例えばＩＣタグ８０の基材がプラスチック製ＰＥＴフィルムである、その上に銅ないしアルミエッチングでＩＣタグアンテナ８２が形成され、ＩＣチップ８１が実装されている。ＩＣチップ９１はＩＣタグアンテナ８２と電気的に接続しており、本発明の第二の実施例で説明した機能を有している。ＩＣタグ８１の直上に金製品８４を強力接着剤（例えばセメダイン社製ロックタイトや東亜合成化学工業製のアロンアルファ等）で接着することにより、金製品８４はＩＣタグ８０の機能・性能を損なうことなく分離できない。ＩＣタグは本発明の第一及び第二の実施例で示すように、模造困難となっており、これにより、金製品のすり替えが防止可能である。
【００４７】
図７の特殊景品の構造図において、ＩＣタグの機能・性能を損なうことなく金製品とＩＣタグの分離ができないようにするための本発明の実施例を図９に示す。図９において、ＩＣタグ７０は例えば図７におけるＩＣタグ８０である。ＩＣタグ７０の基材は例えばプラスチックＰＥＴフィルムが使用されており、ＩＣタグアンテナ７１はプラスチックＰＥＴフィルム上に、銅ないしアルミでエッチング形成されている。ＩＣチップ７２はプラスチックＰＥＴフィルム上に、例えばフリップチップ実装（例えば異方向導電樹脂を使ったＡＣＰやＡＣＦ方式による実装）を使って実装されている。ＩＣチップ７２とＩＣタグアンテナ７１はＩＣチップ上のアンテナ端子で接続される。金製品７３は、ＩＣタグアンテナ７１の一部を覆うように、ＩＣタグの直上に配置される。なお、金製品は導電性であるため、ＩＣタグのアンテナ性能に大きく影響を及ぼさないためには、ＩＣタグアンテナの全面や大部分を覆うようには配置しない方が良い。図９においては、ＩＣタグアンテナの一部が金製品の直下になるようにアンテナ形状を工夫し、金製品を配置してある。ＩＣタグ７０と金製品７３は、強力な接着剤で接着されており、金製品を剥離ないし分離しようとした場合、金製品直下のＩＣタグアンテナが破断することなく、金製品を取り出すことは出来ない。
【００４８】
かつ、ＩＣタグ７０は、金製品の直下において、ミシン目（ないし切欠け）を設け、金製品を剥離しようとした場合、容易にＩＣタグが破断しやすい構造となっている。これにより、ＩＣタグの機能・性能を損なうことなく金製品とＩＣタグの分離は更に困難となる。ここで、金製品７３の大きさは例えば５ｍｍ角であり、ＩＣタグ７０の大きさは例えば２０ｍｍ×４０ｍｍである。
【産業上の利用可能性】
【００４９】
本発明の特殊景品流通システム及び特殊景品は特殊景品の発行処理、払出処理、買取処理、検品処理に利用可能であり、法律に定める規定を順守しつつ、特に悪意の第三者による特殊景品の偽造を防止することに有効である。
【符号の説明】
【００５０】
７０  ＩＣタグ
７１  ＩＣタグアンテナ
７２  ＩＣチップ
７３  金製品
７４  ミシン目
８０  ＩＣタグ
８１  ＩＣチップ
８２  ＩＣタグアンテナ
８４  金製品
８５  支持板
８６  ホログラム
８７  透明プラスチックケース
８８  透明プラスチックケース
９０  ＩＣタグ
９１  ＩＣチップ
９３，９４  プラスチック板
１００  特殊景品
１０５  特殊景品
１１０  遊技店
１１５  特殊景品払出装置
１２０  特殊景品交換所
１２５  特殊景品買取装置
１３０  景品問屋
１３５  特殊景品発行装置
１４５  管理サーバ
１５０  集配所
１５５  特殊景品検品装置
【図１】
2011087652.tif 000003
【図２】
2011087652.tif 000004
【図３】
2011087652.tif 000005
【図４】
2011087652.tif 000006
【図５】
2011087652.tif 000007
【図６】
2011087652.tif 000008
【図７】
2011087652.tif 000009
【図８】
2011087652.tif 000010
【図９】
2011087652.tif 000011